【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
画像読取動作および画像印刷動作の少なくとも一方を含む画像処理動作を実行可能な画像処理装置と、該画像処理装置とネットワークを介して接続された情報処理装置とを備える設定引継ぎシステムであって、
前記画像処理装置は、
ユーザ認証を行ってユーザ情報を取得する手段と、
前記情報処理装置から、前記ユーザ情報に関連付けられた設定情報を取得する手段と、  
前記画像処理動作を中断する手段と、
前記中断前に設定された、前記画像処理動作に関する設定情報を取得する手段と、
前記中断前に設定された設定情報と、該設定情報に関連するユーザ情報とを前記情報処理装置に送信する手段と
を有し、
前記情報処理装置は、    
前記画像処理装置から、前記中断前に設定された設定情報と、該設定情報に関連するユーザ情報とを受信すると、前記中断前に設定された設定情報と該設定情報に関連するユーザ情報とを関連付けて保存する手段と、
前記画像処理装置から、前記ユーザ情報、および前記設定情報の取得要求を受信すると、
前記保存する手段から、前記ユーザ情報に関連した設定情報を抽出し、該抽出された設定情報を前記画像処理装置に送信する手段と
を有し、
前記画像処理装置は、前記中断された画像処理動作の再開時に、前記情報処理装置から取得した設定情報に基づいて、前記画像処理動作を行うことを特徴とする設定引継ぎシステム。
【請求項２】
画像読取動作を実行可能な画像処理装置と、該画像処理装置とネットワークを介して接続された情報処理装置とを備える設定引継ぎシステムであって、
前記画像処理装置は、
ユーザ認証を行ってユーザ情報を取得する手段と、
前記情報処理装置から、前記ユーザ情報に関連付けられた第１のスキャン設定情報を取得する手段と、
前記画像読取動作を中断する手段と、
前記中断前に設定された、前記画像読取動作に関する第２のスキャン設定情報、および前記中断前までにスキャンされたスキャン済みの画像データを取得する手段と、
前記第２のスキャン設定情報と、前記スキャン済みの画像データと、前記第２のスキャン設定情報に関連するユーザ情報とを前記情報処理装置に送信する手段とを有し、
前記情報処理装置は、
前記画像処理装置から、前記第２のスキャン設定情報と、前記スキャン済みの画像データと、前記第２のスキャン設定情報に関連するユーザ情報とを受信すると、前記第２のスキャン設定情報と前記スキャン済みの画像データとを、前記第２のスキャン設定情報に関連するユーザ情報に関連付けてジョブとして保存する手段と、
前記画像処理装置から、前記ユーザ情報、および前記第１のスキャン設定情報の取得要求を受信すると、前記ジョブを参照して前記第１のスキャン設定情報を抽出し、該抽出された第１のスキャン設定情報を前記画像処理装置に送信する手段とを有し、
前記画像処理装置は、前記中断された画像読取動作の再開時に、前記情報処理装置から取得した第１のスキャン設定情報に基づいて、前記画像読取動作を行うことを特徴とする設定引継ぎシステム。
【請求項３】
前記画像処理装置は、
前記中断された画像読取動作の再開時に、前記情報処理装置から取得した第１のスキャン設定情報に基づいて、前記画像読取動作を行う手段と、
前記再開時の画像読取動作にてスキャンされた再スキャン画像データを取得する手段と、
前記再スキャン画像データを、そのジョブを識別するジョブ識別情報と共に前記情報処理装置に送信する手段と
をさらに有し、
前記情報処理装置は、
前記画像処理装置から送信された前記ジョブ識別情報に基づいて結合の対象となるジョブを特定し、前記画像処理装置から送信された再スキャン画像データを、該特定されたジョブのスキャン済みの画像データと結合する手段とをさらに有する
ことを特徴とする請求項２記載の設定引継ぎシステム。
【請求項４】
前記保存する手段は、前記ジョブとして保存する際に、前記第２のスキャン設定情報およびスキャン済みの画像データの少なくとも一方に対し電子署名またはタイムスタンプを付与して保存する手段をさらに有し、
前記情報処理装置は、前記第１のスキャン設定情報を送信する前に、前記電子署名またはタイムスタンプの改ざん検知を行い、前記スキャン設定情報およびスキャン済みの画像データの少なくとも一方の変更の有無の確認結果を前記画像処理装置に送信することを特徴とする請求項２または３記載の設定引継ぎシステム。
【請求項５】
前記画像処理装置は、
携帯可能な記録メディアと連携する手段と、
前記携帯可能な記録メディアが接続されていることを検知する手段と、
前記携帯可能な記録メディアから、スキャン済みの画像データのハッシュを得る手段と、
スキャン済みの画像データのハッシュを前記携帯可能な記録メディアに保存する手段と、
前記情報処理装置から、スキャン済みの画像データのハッシュを取得する手段と、
前記情報処理装置から取得されたハッシュと、前記携帯可能な記録メディアから取得されたハッシュとを比較する手段と
をさらに有することを特徴とする請求項２乃至４のいずれかに記載の設定引継ぎシステム。
【請求項６】
画像印刷動作を実行可能な画像処理装置と、該画像処理装置とネットワークを介して接続された情報処理装置とを備える設定引継ぎシステムであって、
ユーザ認証を行ってユーザ情報を取得する手段と、
前記情報処理装置から、前記ユーザ情報に関連付けられた第１の印刷設定情報を取得する手段と、
印刷すべき画像データを取得する手段と、
前記印刷すべき画像データに基づいて前記画像印刷動作を行う手段と、
前記画像印刷動作を中断する手段と、
前記中断前に設定された、前記画像印刷動作に関する第２の印刷設定情報を取得する手段と、
前記第２の印刷設定情報と、該第２の印刷設定情報に関連するユーザ情報とを前記情報処理装置に送信する手段とを有し、
前記情報処理装置は、
前記画像処理装置から、前記第２の印刷設定情報と、該第２の印刷設定情報に関連するユーザ情報とを受信すると、前記第２の印刷設定情報を、該第２の印刷設定情報に関連するユーザ情報に関連付けてジョブとして保存する手段と、
前記画像処理装置から、前記ユーザ情報、および前記第１の印刷設定情報の取得要求を受信すると、前記ジョブを参照して前記第１の印刷設定情報を抽出し、該抽出された第１の印刷設定情報を前記画像処理装置に送信する手段とを有し、
前記画像処理装置は、前記中断された画像印刷動作の再開時に、前記情報処理装置から取得した第１の印刷設定情報に基づき、かつ前記印刷すべき画像データに基づいて、前記画像印刷動作を行うことを特徴とする設定引継ぎシステム。
【請求項７】
前記第２の印刷設定情報を取得する手段は、前記中断前までに印刷された印刷済みの画像データを取得する手段を有し、
前記画像処理装置の送信手段は、前記印刷済みの画像データも前記情報処理装置に送信し、
前記保存する手段は、前記送信された印刷済みの画像データも前記ジョブとして保存し、
前記情報処理装置の送信手段は、前記印刷済みの画像データも前記画像処理装置に送信し、
前記画像処理装置は、前記再開時に、前記情報処理装置から取得した第１の印刷設定情報および前記印刷すべき画像データに加えて、前記情報処理装置から送信された印刷済みの画像データに基づいて、前記画像印刷動作を行うことを特徴とする請求項６記載の設定引継ぎシステム。
【請求項８】
前記保存する手段は、前記ジョブとして保存する際に、前記第２の印刷設定情報に対し電子署名またはタイムスタンプを付与して保存する手段をさらに有し、
前記情報処理装置は、前記第１の印刷設定情報を送信する前に、前記電子署名またはタイムスタンプの改ざん検知を行い、前記印刷設定情報の変更の有無の確認結果を前記画像処理装置に送信することを特徴とする請求項６または７記載の設定引継ぎシステム。
【請求項９】
前記画像処理装置は、
携帯可能な記録メディアと連携する手段と、
前記携帯可能な記録メディアが接続されていることを検知する手段と、
前記携帯可能な記録メディアから、印刷設定情報のハッシュを得る手段と、
印刷設定情報のハッシュを前記携帯可能な記録メディアに保存する手段と、
前記情報処理装置から、印刷設定情報のハッシュを取得する手段と、
前記情報処理装置から取得されたハッシュと、前記携帯可能な記録メディアから取得されたハッシュとを比較する手段と
をさらに有することを特徴とする請求項６乃至８のいずれかに記載の設定引継ぎシステム。
【請求項１０】
情報処理装置にネットワークを介して接続され、画像読取動作および画像印刷動作の少なくとも一方を含む画像処理動作を実行可能な画像処理装置であって、
ユーザ認証を行ってユーザ情報を取得する手段と、
前記情報処理装置から、前記ユーザ情報に関連付けられた設定情報を取得する手段と、
前記画像処理動作を中断する手段と、
前記中断前に設定された、前記画像処理動作に関する設定情報を取得する手段と、
前記中断前に設定された設定情報と、該設定情報に関連するユーザ情報とを前記情報処理装置に送信する手段とを備え、
前記中断された画像処理動作の再開時に、前記情報処理装置から取得した設定情報に基づいて、前記画像処理動作を行うことを特徴とする画像処理装置。
【請求項１１】
画像読取動作および画像印刷動作の少なくとも一方を含む画像処理動作を実行可能な画像処理装置にネットワークを介して接続された情報処理装置であって、
前記画像処理装置において前記画像処理動作の中断前に設定された設定情報と、該設定情報に関連するユーザ情報とを、前記画像処理装置から受信すると、前記中断前に設定された設定情報と該設定情報に関連するユーザ情報とを関連付けて保存する手段と、
前記画像処理装置から、前記ユーザ情報、および前記設定情報の取得要求を受信すると、前記保存する手段から、前記ユーザ情報に関連した設定情報を抽出し、該抽出された設定情報を前記画像処理装置に送信する手段と
を備えることを特徴とする情報処理装置。
【請求項１２】
画像読取動作および画像印刷動作の少なくとも一方を含む画像処理動作を実行可能な画像処理装置と、該画像処理装置とネットワークを介して接続された情報処理装置とを備える設定引継ぎシステムにおける設定引継ぎ方法であって、
前記画像処理装置が、ユーザ認証を行ってユーザ情報を取得する工程と、
前記画像処理装置が、前記情報処理装置から、前記ユーザ情報に関連付けられた設定情報を取得する工程と、
前記画像処理装置が、前記画像処理動作を中断する工程と、
前記画像処理装置が、前記中断前に設定された、前記画像処理動作に関する設定情報を取得する工程と、
前記画像処理装置が、前記中断前に設定された設定情報と、該設定情報に関連するユーザ情報とを前記情報処理装置に送信する工程と、
前記情報処理装置が、前記画像処理装置から、前記中断前に設定された設定情報と、該設定情報に関連するユーザ情報とを受信すると、前記中断前に設定された設定情報と該設定情報に関連するユーザ情報とを関連付けて保存する工程と、
前記情報処理装置が、前記画像処理装置から、前記ユーザ情報、および前記設定情報の取得要求を受信すると、前記保存する手段から、前記ユーザ情報に関連した設定情報を抽出し、該抽出された設定情報を前記画像処理装置に送信する工程とを有し、
前記画像処理装置は、前記中断された画像処理動作の再開時に、前記情報処理装置から取得した設定情報に基づいて、前記画像処理動作を行うことを特徴とする設定引継ぎ方法。
【請求項１３】
情報処理装置にネットワークを介して接続され、画像読取動作および画像印刷動作の少なくとも一方を含む画像処理動作を実行可能な画像処理装置における設定引継ぎ方法であって、
ユーザ認証を行ってユーザ情報を取得する工程と、
前記情報処理装置から、前記ユーザ情報に関連付けられた設定情報を取得する工程と、
前記画像処理動作を中断する工程と、
前記中断前に設定された、前記画像処理動作に関する設定情報を取得する工程と、
前記中断前に設定された設定情報と、該設定情報に関連するユーザ情報とを前記情報処理装置に送信する工程とを有し、
前記中断された画像処理動作の再開時に、前記情報処理装置から取得した設定情報に基づいて、前記画像処理動作を行うことを特徴とする設定引継ぎ方法。
【請求項１４】
画像読取動作および画像印刷動作の少なくとも一方を含む画像処理動作を実行可能な画像処理装置にネットワークを介して接続された情報処理装置における設定引継ぎ方法であって、
前記画像処理装置において前記画像処理動作の中断前に設定された設定情報と、該設定情報に関連するユーザ情報とを、前記画像処理装置から受信すると、前記中断前に設定された設定情報と該設定情報に関連するユーザ情報とを関連付けて保存する工程と、
前記画像処理装置から、前記ユーザ情報、および前記設定情報の取得要求を受信すると、前記保存する手段から、前記ユーザ情報に関連した設定情報を抽出し、該抽出された設定情報を前記画像処理装置に送信する工程と
を有することを特徴とする設定引継ぎ方法。
【請求項１５】
コンピュータに請求項１２乃至１４のいずれかに記載の設定引継ぎ方法を実行させるためのコンピュータプログラム。
【請求項１６】
コンピュータにより読み出し可能なプログラムを格納した記憶媒体であって、請求項１５記載のコンピュータプログラムを格納したことを特徴とする記憶媒体。